(57)【要約】【課題】或る通信装置の運用中に、この通信装置の既存設定を、この通信装置とは異なるベンダ製の通信装置に引継ぎ可能とする。【解決手段】通信装置設定システムＳは、通信装置６への設定投入を指示するベンダ共通部２と、ベンダ共通部２に指示に基づき、通信装置６のベンダＡ〜Ｃに依存する設定構文情報を生成するベンダ個別部３ａ〜３ｃと、この設定構文情報に基づき、通信装置６を設定する装置設定部４と、装置設定部４による通信装置６の既存の設定を、通信装置６のベンダに依存しない形式で保持する既存設定保持部５とを備える。【選択図】図１
2018136649.tif 000002
【特許請求の範囲】
【請求項１】
通信装置への設定投入を指示するベンダ共通部と、
前記ベンダ共通部の指示に基づき、前記通信装置のベンダに依存する設定構文情報を生成するベンダ個別部と、
前記設定構文情報に基づき、前記通信装置を設定する装置設定部と、
前記装置設定部による前記通信装置の既存の設定を、当該通信装置のベンダに依存しない形式で保持する既存設定保持部と、
を備えることを特徴とする通信装置設定システム。
【請求項２】
前記ベンダ個別部は、前記ベンダ共通部が指示するパラメータと前記既存設定保持部が保持する既存の設定に基づき、前記通信装置のベンダに依存する設定構文情報を生成する、
ことを特徴とする請求項１に記載の通信装置設定システム。
【請求項３】
前記ベンダ共通部が前記ベンダ個別部に投入を指示する設定情報は、各前記通信装置のベンダに依存しない形式のパラメータであり、
前記ベンダ共通部は、前記装置設定部から前記通信装置に設定を投入した旨の応答を受信したならば、前記通信装置への投入を指示した前記パラメータを前記既存設定保持部に追加する、
ことを特徴とする請求項１に記載の通信装置設定システム。
【請求項４】
前記ベンダ共通部は更に、前記通信装置へのパラメータの削除を前記ベンダ個別部に指示する機能と、
前記装置設定部から前記通信装置に設定を削除した旨の応答を受信したならば、前記通信装置へ削除を指示した前記パラメータを前記既存設定保持部から削除する、
ことを特徴とする請求項１に記載の通信装置設定システム。
【請求項５】
前記ベンダ共通部は、前記ベンダ個別部に対して、一の通信装置の設定を他の通信装置に移行させるように指示し、前記既存設定保持部に対して、前記一の通信装置の既存設定を前記他の通信装置の設定に変更させる、
ことを特徴とする請求項１に記載の通信装置設定システム。
【請求項６】
前記ベンダ個別部は、前記既存設定保持部に保持された情報の参照権限を有し、かつ前記既存設定保持部へ書込権限を有さない、
ことを特徴とする請求項１に記載の通信装置設定システム。
【請求項７】
前記ベンダ共通部は、前記既存設定保持部への書込権限を有する、
ことを特徴とする請求項１に記載の通信装置設定システム。
【請求項８】
通信装置への設定投入を指示するステップと、
前記通信装置のベンダに依存する設定構文情報を生成するステップと、
前記設定構文情報に基づき、前記通信装置を設定するステップと、
前記通信装置の既存の設定を、当該通信装置のベンダに依存しない形式で保持するステップと、
を含むことを特徴とする通信装置設定方法。
【発明の詳細な説明】
【技術分野】
【０００１】
本発明は、IP (Internet Protocol)に代表されるパケット交換網の通信装置設定システムおよび通信装置設定方法に関する。
【背景技術】
【０００２】
近年、パケット交換網を構成する通信装置の設定の追加や削除を、人手を介さずに実現するシステムが考案されている（非特許文献１）。特に通信装置の設定構文は、各通信装置を開発するベンダによって大きく異なる。そのため、この差分を考慮してベンダ毎に適切な構文を作成して設定を行うことで、上位装置からは、通信装置のベンダ差分を意識せずに制御可能となる。
【０００３】
図５は、比較例の通信装置設定システムＳの構成図である。
通信装置設定システムＳは、ネットワーク９と、このネットワーク９を構成する各装置を制御するコントローラ１Ａとを含んで構成される。
ネットワーク９は、パケット交換網であり、２台の通信装置６ａ、２台の通信装置６ｂ、１台の通信装置６ｃを含んでいる。通信装置６ａは、ベンダＡが提供する装置である。通信装置６ｂは、ベンダＢが提供する装置である。通信装置６ｃは、ベンダＣが提供する装置である。これら通信装置６ａ，６ｂ，６ｃは、コントローラ１Ａによって設定の追加や削除が行われる。以下、通信装置６ａ，６ｂ，６ｃを特に区別しない場合には、単に通信装置６と記載する。
【０００４】
コントローラ１Ａは、ベンダ共通部２と、ベンダ個別部７ａ，７ｂ，７ｃと、装置設定部４とを備えている。ベンダ共通部２は、ベンダ毎に差分のない制御を行う部位である。ベンダ共通部２は、上位システム（不図示）の指示から必要なパラメータを抽出し、下位のベンダ個別部７ａ，７ｂ，７ｃに指示を行う。
【０００５】
ベンダ個別部７ａは、ベンダＡが提供する通信装置６ａのうち、ベンダＡの固有制御部分を設定する部位である。ベンダ個別部７ｂは、ベンダＢが提供する通信装置６ｂのうち、ベンダＢの固有制御部分を設定する部位である。ベンダ個別部７ｃは、ベンダＣが提供する通信装置６ｃのうち、ベンダＣの固有制御部分を設定する部位である。ベンダ個別部７ａ，７ｂ，７ｃは、ベンダ共通部２の指示に基づき、ベンダ毎にパラメータの追加削除を行う設定の構文を作成し、装置設定部４に転送する。
【０００６】
各通信装置６におけるベンダ固有制御部分を大きなソフトウェアの修正なしに追加削除可能とするために、ベンダ毎に差分のある部分を設定するベンダ個別部７ａ，７ｂ，７ｃは、独立した部位として切り出されている。
【０００７】
装置設定部４は、通信装置６に設定を行うプロトコルで必要となるネゴシエーションなどの処理や、ベンダ個別部７ａ〜７ｃから受け取った構文にヘッダなどを付与し、通信装置６に転送する。装置設定部４が通信装置６に設定構文を転送することを、コンフィグ投入ともいう。
【０００８】
通信装置６の設定を行うためには、追加削除する対象の設定内容だけではなく、追加削除する時点で通信装置６に既に投入されている設定内容（以降、既存設定と呼ぶ）も必要となる場合がある。以下、この既存設定について説明する。
【０００９】
図６は、設定構文による動作イメージを示す図である。
モードＭ０は、通信装置６に何も設定されていない初期状態である。
通信装置６は、モードＭ０において共通設定と個別設定＃１とが共に追加されると、モードＭ１に遷移する。ここで共通設定とは、各設定に係る大枠の情報である。個別設定とは、各設定に係る個別の情報をいう。例えばルーティングプロトコル情報の場合、共通設定はＩＰｖ４とＩＰｖ６に共通するものであり、個別設定はＩＰｖ４に固有のものと、ＩＰｖ６に固有のものをいう。
モードＭ１は、通信装置６に共通設定と個別設定＃１とが設定されている状態である。このように通信装置６に依らず共通に投入しなければならない設定がある場合、この通信装置６に最初に個別設定を投入する際に、共通設定も投入しなければならない。
【００１０】
しかし、当該通信機器に２回目以降に個別設定を投入する際には、この共通設定を投入する必要はない。例えば通信装置６は、モードＭ１において個別設定＃２のみが追加されると、モードＭ２に遷移する。モードＭ２は、通信装置６に、共通設定と個別設定＃１，＃２が設定されている状態である。
【００１１】
モードＭ２において、通信装置６から個別設定＃２を削除すると、この通信装置６は、モードＭ１に遷移する。このとき、通信装置６から共通設定を削除してはならない。
モードＭ１において、通信装置６から最後の個別設定＃１を削除する場合には、共通設定も併せて削除しなければならない。これにより通信装置６は、モードＭ０の初期状態に遷移する。
このような遷移を実現するため、通信装置６に設定を追加／削除する通信装置設定システムにおいても、既存設定をシステム内で保持することが多い。
【００１２】
この既存設定を保持するため、図５に示した比較例では、ベンダ個別部７で個々に既存設定情報７１ａ〜７１ｃを保持する。これは、必要な既存設定についてもベンダ毎に異なるため、ベンダ共通部２で一括で制御（設定）することができないためである。この保持方法では、ベンダ毎に必要最低限の既存設定を保持すればよく、保持情報量の観点で最適な設計とすることが可能である。
【先行技術文献】
【非特許文献】
【００１３】
【非特許文献１】“Tail-fベースのCisco NSOのネットワークエレメント”，[online]，シスコシステムズ合同会社，[平成２９年２月７日検索]，インターネット<URL:http://www.cisco.com/web/JP/product/hs/netmgt/network-services-orchestrator/prodlit/datasheet-c78-734669.html>
【発明の概要】
【発明が解決しようとする課題】
【００１４】
図５に示したベンダＡ製の通信装置６ａが古くなり、または障害が発生したときに、異なるベンダ（ベンダＢ）製の通信装置６ｂにリプレースを行う場合がある。このような場合に、ベンダＡ製の通信装置６ａの既存設定を、異なるベンダ（ベンダＢ）製の通信装置６ｂにそのまま引き継がせることが必要である。
しかし、比較例における既存設定の保持方法では、ベンダ毎に異なる形式で既存設定を保持している。よって、比較例の方法では、ベンダＡ製の通信装置６ａの既存設定を、異なるベンダであるベンダＢ製の通信装置６ｂにそのまま引き継がせることはできない。よって、或るベンダ製の通信装置を、異なるベンダ製の通信装置に入れ替えるためには、異なるベンダ製の通信装置に、再び同様の設定内容を投入し直す必要があった。
【００１５】
そこで、本発明は、通信装置設定システムおよび通信装置設定方法において、或る通信装置の運用中に、この通信装置の既存設定を異なるベンダの通信装置に引継ぎ可能とすることを課題とする。
【課題を解決するための手段】
【００１６】
前記した課題を解決するため、請求項１に記載の発明では、通信装置への設定投入を指示するベンダ共通部と、前記ベンダ共通部に指示に基づき、前記通信装置のベンダに依存する設定構文情報を生成するベンダ個別部と、前記設定構文情報に基づき、前記通信装置を設定する装置設定部と、前記装置設定部による前記通信装置の既存の設定を、当該通信装置のベンダに依存しない形式で保持する既存設定保持部と、を備えることを特徴とする通信装置設定システムとした。
【００１７】
このようにすることで、或る通信装置の運用中に、この通信装置の既存設定を異なるベンダの通信装置に引継ぎ可能である。
【００１８】
請求項２に記載の発明では、前記ベンダ個別部は、前記ベンダ共通部が指示するパラメータと前記既存設定保持部が保持する既存の設定に基づき、前記通信装置のベンダに依存する設定構文情報を生成する、ことを特徴とする請求項１に記載の通信装置設定システムとした。
【００１９】
このようにすることで、運用中の或る通信装置の既存設定を、他の通信装置に引き継がせることができる。
【００２０】
請求項３に記載の発明では、前記ベンダ共通部が前記ベンダ個別部に投入を指示する設定情報は、各前記通信装置のベンダに依存しない形式のパラメータであり、前記ベンダ共通部は、前記装置設定部から前記通信装置に設定を投入した旨の応答を受信したならば、前記通信装置への投入を指示した前記パラメータを前記既存設定保持部に追加する、ことを特徴とする請求項１に記載の通信装置設定システムとした。
【００２１】
このようにすることで、運用中の或る通信装置の既存設定を保持しておくことができるので、この既存設定を他の通信装置に引き継がせることができる。
【００２２】
請求項４に記載の発明では、前記ベンダ共通部は更に、前記通信装置へのパラメータの削除を前記ベンダ個別部に指示する機能と、前記装置設定部から前記通信装置に設定を削除した旨の応答を受信したならば、前記通信装置へ削除を指示した前記パラメータを前記既存設定保持部から削除する、ことを特徴とする請求項１に記載の通信装置設定システムとした。
【００２３】
このようにすることで、運用中の或る通信装置の既存設定を保持しておくことができるので、この既存設定を他の通信装置に引き継がせることができる。
【００２４】
請求項５に記載の発明では、前記ベンダ共通部は、前記ベンダ個別部に対して、一の通信装置の設定を他の通信装置に移行させるように指示し、前記既存設定保持部に対して、前記一の通信装置の既存設定を前記他の通信装置の設定に変更させる、ことを特徴とする請求項１に記載の通信装置設定システムとした。
【００２５】
このようにすることで、運用中の或る通信装置の既存設定を、他の通信装置に引き継がせることができる。
【００２６】
請求項６に記載の発明では、前記ベンダ個別部は、前記既存設定保持部に保持された情報の参照権限を有し、かつ前記既存設定保持部への書込権限を有さない、ことを特徴とする請求項１に記載の通信装置設定システムとした。
【００２７】
このようにすることで、或るベンダ個別部の不具合が、前記既存設定保持部に保持された情報に対して影響を与えることがなくなる。よって、或るベンダ個別部の不具合が、他のベンダ個別部の不具合を誘発することがなくなる。
【００２８】
請求項７に記載の発明では、前記ベンダ共通部は、前記既存設定保持部への書込権限を有する、ことを特徴とする請求項１に記載の通信装置設定システムとした。
【００２９】
このようにすることで、通信装置の既存設定を、各通信装置のベンダに依存しない形式で既存設定保持部に保持させることができる。
【００３０】
請求項８に記載の発明では、通信装置への設定投入を指示するステップと、前記通信装置のベンダに依存する設定構文情報を生成するステップと、前記設定構文情報に基づき、前記通信装置を設定するステップと、前記通信装置の既存の設定を、当該通信装置のベンダに依存しない形式で保持するステップと、を含むことを特徴とする通信装置設定方法とした。
【００３１】
このようにすることで、或る通信装置の運用中に、この通信装置の既存設定を異なるベンダの通信装置に引継ぎ可能である。
【発明の効果】
【００３２】
本発明によれば、或る通信装置の運用中に、この通信装置の既存設定を異なるベンダの通信装置に引継ぎ可能となる。
【図面の簡単な説明】
【００３３】
【図１】本実施形態における通信装置設定システムの構成図である。
【図２】装置への設定投入処理に係るシーケンス図である。
【図３】装置への設定削除処理に係るシーケンス図である。
【図４】一の装置への設定投入処理と、この一の装置への設定を他の装置に引き継ぐ処理に係るシーケンス図である。
【図５】比較例の通信装置設定システムの構成図である。
【図６】設定構文による動作イメージを示す図である。
【発明を実施するための形態】
【００３４】
以降、本発明を実施するための形態を、各図を参照して詳細に説明する。
図１は、本実施形態における通信装置設定システムＳの構成図である。
本実施形態の通信装置設定システムＳは、既存設定保持部５という部位を備えている。既存設定保持部５は、コントローラ１から各通信装置６に投入された全ての既存設定を保持し、それをベンダ個別部３から参照可能とすることで、異なるベンダ製の通信装置６間で既存設定を引き継ぐことを可能としている。
通信装置設定システムＳは、ネットワーク９と、このネットワーク９を構成する各装置を制御するコントローラ１とを含んで構成される。
ネットワーク９は、パケット交換網であり、比較例と同様に２台の通信装置６ａ、２台の通信装置６ｂ、１台の通信装置６ｃを含んでいる。通信装置６ａは、ベンダＡが提供する装置である。通信装置６ｂは、ベンダＢが提供する装置である。通信装置６ｃは、ベンダＣが提供する装置である。これら通信装置６ａ，６ｂ，６ｃは、コントローラ１によって設定の追加や削除が行われる。
【００３５】
コントローラ１は、ベンダ共通部２と、ベンダ個別部３ａ〜３ｃと、装置設定部４とを備えている。ベンダ共通部２は、ベンダ毎に差分のない制御を行う部位である。
ベンダ共通部２は、比較例と同様に上位（不図示）の指示から必要なパラメータを抽出し、下位のベンダ個別部３ａ〜３ｃに設定投入の指示を行う。ベンダ共通部２は、これに加えて、上位から受け取った設定の追加／削除をベンダに依存しない形式で既存設定保持部５に書き込む。ベンダ共通部２が既存設定保持部５に書き込む情報には、ベンダによっては不要な情報も含まれているが、一律に既存設定保持部５に書き込みを行うことで、ベンダ差分を吸収することができる。
【００３６】
ベンダ個別部３ａは、ベンダＡが提供する通信装置６ａのうち、ベンダＡの固有制御部分を設定する部位である。ベンダ個別部３ｂは、ベンダＢが提供する通信装置６ｂのうち、ベンダＢの固有制御部分を設定する部位である。ベンダ個別部７ｃは、ベンダＣが提供する通信装置６ｃのうち、ベンダＣの固有制御部分を設定する部位である。ベンダ個別部３ａ〜３ｃは、ベンダ共通部２の指示に基づき、ベンダ毎に追加削除を行う設定の構文を作成し、装置設定部４に転送する。この設定構文は、各通信装置６のベンダＡ〜Ｃに依存する設定構文情報である。
【００３７】
これらベンダ個別部３ａ〜３ｃは、従来の機能に加え、既存設定保持部５から必要に応じて既存設定を読み込む機能を有する。ベンダ個別部３ａ〜３ｃは、既存設定を既存設定保持部５から読み込むだけであり、既存設定保持部５への書き込みは禁止されている。これにより、一のベンダ個別部３の構成が、他のベンダ個別部３に影響することを防止できる。ベンダ個別部３ａ〜３ｃは更に、ベンダに依存しない形式の既存設定から、各ベンダに固有の形式の構文に変換する。各通信装置６におけるベンダ固有制御部分を大きなソフトウェアの修正なしに追加削除可能とするために、ベンダ毎に差分のある部分を制御するベンダ個別部３ａ〜３ｃは、独立した部位として切り出されている。
【００３８】
装置設定部４は、通信装置６に設定を行うプロトコルで必要となるネゴシエーションなどの処理や、ベンダ個別部７ａ〜７ｃから受け取った構文にヘッダなどを付与し、通信装置６に転送する。装置設定部４が通信装置６に設定構文を転送することを、コンフィグ投入ともいう。
【００３９】
既存設定保持部５は、既存設定された各パラメータを保持する。既存設定保持部５が既存設定された各パラメータを保持する形式は、ベンダに依らない形式である。既存設定保持部５へのパラメータの登録は、ベンダ共通部２によって行われ、各パラメータの読み取りはベンダ個別部３ａ〜３ｃによって行われる。
【００４０】
ベンダ個別部３ａ〜３ｃは、既存設定保持部５に保持された情報の参照権限を有しているが、既存設定保持部５への書込権限を有していない。これにより、ベンダ個別部３ａ〜３ｃのうちいずれかに不具合が存在していても、既存設定保持部５に保持された既存設定に影響を及ぼすことはない。よって、或るベンダ個別部３の不具合が、他のベンダ個別部３の不具合を誘発することがなくなる。
【００４１】
ベンダ共通部２は、既存設定保持部５への書込権限を有している。これにより、各通信装置６の既存設定を、既存設定保持部５に格納させることができる。
【００４２】
これら各部を用いて、各通信装置６に設定を追加する際のシーケンスを図２に、各通信装置６に設定を削除する際のシーケンスを図３に、一の装置への設定投入処理と、この一の装置への設定を他の装置に引き継ぐ処理のシーケンスを図４に示す。
【００４３】
図２は、装置への設定投入処理に係るシーケンス図である。
不図示の上位システムやオペレータから、所定の通信装置６ａへの設定投入指示と、設定すべきパラメータとが入力されると、図２のシーケンスが開始する。
最初、ベンダ共通部２は、ベンダ個別部３ａに、所定の通信装置６ａへの設定投入を指示する（ステップＳ１０）。ベンダ共通部２は、この通信装置６ａに設定するパラメータをベンダ個別部３ａに通知する。
【００４４】
次いでベンダ個別部３ａは、既存設定保持部５に対して、この通信装置６ａに係る既存設定情報を要求し（ステップＳ１１）、既存設定保持部５から既存設定情報を受信する（ステップＳ１２）。既存設定保持部５に格納されている既存設定情報は、ベンダに依存しない形式なので、図１に示したベンダ個別部３ｂ，３ｃも読み取ることができる。
ベンダ個別部３ａは、既存設定保持部５から受信した既存設定情報と、上位システムから入力された情報（パラメータ）から投入すべきコンフィグを作成する（ステップＳ１３）。ベンダ個別部３ａは、ベンダに依存しない形式である既存設定情報およびパラメータから、ベンダＡに固有の形式の構文で記載されたコンフィグに変換する。ベンダ個別部３ａは、このコンフィグを含む装置制御信号を、装置設定部４に送信する（ステップＳ１４）。
【００４５】
装置設定部４は、ベンダ個別部３ａから受信したコンフィグを通信装置６ａに投入し（ステップＳ１５）、通信装置６ａからその応答を受信する（ステップＳ１６）。装置設定部４は、通信装置６ａから受信した応答を、ベンダ個別部３ａに転送する（ステップＳ１７）。ベンダ個別部３ａは、装置設定部４から受信した応答を、ベンダ共通部２に転送する（ステップＳ１８）。
【００４６】
ベンダ共通部２は、通信装置６ａにコンフィグを投入したことを検知したので、既存設定保持部５に対して、この通信装置６ａに設定したパラメータを追加する（ステップＳ１９）。これにより、既存設定保持部５には、この通信装置６ａに係る既存設定情報が格納される。
【００４７】
図３は、装置への設定削除処理に係るシーケンス図である。
不図示の上位システムやオペレータから、所定の通信装置６ａへの設定削除指示と、削除すべきパラメータの種類とが入力されると、図３のシーケンスが開始する。
最初、ベンダ共通部２は、ベンダ個別部３ａに、所定の通信装置６ａへの設定削除を指示する（ステップＳ３０）。ベンダ共通部２は、この通信装置６ａから削除するパラメータをベンダ個別部３ａに通知する。
【００４８】
次いでベンダ個別部３ａは、既存設定保持部５に対して、この通信装置６ａに係る既存設定情報を要求し（ステップＳ３１）、既存設定保持部５から既存設定情報を受信する（ステップＳ３２）。既存設定保持部５に格納されている既存設定情報は、ベンダに依存しない形式なので、図１に示したベンダ個別部３ｂ，３ｃも読み取ることができる。
ベンダ個別部３ａは、既存設定保持部５から受信した既存設定情報と、上位システムから入力された情報（削除したいパラメータ種別）から投入すべきコンフィグを作成する（ステップＳ３３）。ベンダ個別部３ａは、ベンダに依存しない形式である既存設定情報およびパラメータから、ベンダＡに固有の形式の構文で記載されたコンフィグに変換する。ベンダ個別部３ａは、このコンフィグを含む装置制御信号を、装置設定部４に送信する（ステップＳ３４）。
【００４９】
装置設定部４は、ベンダ個別部３ａから受信したコンフィグを通信装置６ａに投入し（ステップＳ３５）、通信装置６ａからその応答を受信する（ステップＳ３６）。装置設定部４は、通信装置６ａから受信した応答を、ベンダ個別部３ａに転送する（ステップＳ３７）。ベンダ個別部３ａは、装置設定部４から受信した応答を、ベンダ共通部２に転送する（ステップＳ３８）。
【００５０】
ベンダ共通部２は、通信装置６ａにコンフィグを投入したことを検知したので、既存設定保持部５に対して、この通信装置６ａから削除したパラメータと同じパラメータを削除する（ステップＳ３９）。これにより、既存設定保持部５には、この通信装置６ａに係る既存設定情報が格納される。
【００５１】
図４は、通信装置６ａへの設定投入処理と、この通信装置６ａへの設定を通信装置６ｂに引き継ぐ処理に係るシーケンス図である。
不図示の上位システムやオペレータから、所定の通信装置６ａへの設定投入指示と、設定すべきパラメータとが入力されると、ステップＳ５０〜Ｓ５８のシーケンスが開始する。
最初、ベンダ共通部２は、ベンダ個別部３ａに、所定の通信装置６ａへの設定投入を指示する（ステップＳ５０）。ベンダ共通部２は、この通信装置６ａに設定するパラメータをベンダ個別部３ａに通知する。
【００５２】
次いでベンダ個別部３ａは、既存設定保持部５に対して、この通信装置６ａに係る既存設定情報を要求し（ステップＳ５１）、既存設定保持部５から既存設定情報を受信する（ステップＳ５２）。
ベンダ個別部３ａは、既存設定保持部５から受信した既存設定情報と、上位システムから入力された情報（パラメータ）から投入すべきコンフィグを作成する。ベンダ個別部３ａは、ベンダに依存しない形式である既存設定情報およびパラメータから、ベンダＡに固有の形式の構文で記載されたコンフィグに変換する。ベンダ個別部３ａは、このコンフィグを含む装置制御信号を、装置設定部４に送信する（ステップＳ５３）。
【００５３】
装置設定部４は、ベンダ個別部３ａから受信したコンフィグを通信装置６ａに投入し（ステップＳ５４）、通信装置６ａからその応答を受信する（ステップＳ５５）。装置設定部４は、通信装置６ａから受信した応答を、ベンダ個別部３ａに転送する（ステップＳ５６）。ベンダ個別部３ａは、装置設定部４から受信した応答を、ベンダ共通部２に転送する（ステップＳ５７）。
【００５４】
ベンダ共通部２は、通信装置６ａにコンフィグを投入したことを検知したので、既存設定保持部５に対して、この通信装置６ａに設定したパラメータを追加する（ステップＳ５８）。これにより、既存設定保持部５には、この通信装置６ａに係る既存設定情報が格納される。
【００５５】
更にステップＳ６０において、この通信装置６ａに障害が発生して停止する。不図示の上位システムやオペレータから、このコントローラ１に対してベンダＢ製の通信装置６ｂへの設定引継ぎ指示と、設定すべきパラメータとが入力されると、ステップＳ６１〜Ｓ６９のシーケンスが開始する。
ベンダ共通部２は、ベンダ個別部３ｂに、停止した通信装置６ａから所定の通信装置６ｂへの設定引継を指示する（ステップＳ６１）。
【００５６】
次いでベンダ個別部３ｂは、既存設定保持部５に対して、停止した通信装置６ａに係る既存設定情報を要求し（ステップＳ６２）、既存設定保持部５から既存設定情報を受信する（ステップＳ６３）。
ベンダ個別部３ｂは、既存設定保持部５から受信した既存設定情報から投入すべきコンフィグを作成する。ベンダ個別部３ｂは、ベンダに依存しない形式である既存設定情報から、ベンダＢに固有の形式の構文で記載されたコンフィグに変換する。ベンダ個別部３ｂは、このコンフィグを含む装置制御信号を、装置設定部４に送信する（ステップＳ６４）。
【００５７】
装置設定部４は、ベンダ個別部３ｂから受信したコンフィグを通信装置６ｂに投入し（ステップＳ６５）、通信装置６ｂからその応答を受信する（ステップＳ６６）。装置設定部４は、通信装置６ｂから受信した応答を、ベンダ個別部３ｂに転送する（ステップＳ６７）。ベンダ個別部３ｂは、装置設定部４から受信した応答を、ベンダ共通部２に転送する（ステップＳ６８）。
【００５８】
ベンダ共通部２は、通信装置６ｂにコンフィグを投入したことを検知したので、既存設定保持部５に対して、この通信装置６ｂに設定したパラメータを追加する（ステップＳ６９）。これにより、既存設定保持部５には、この通信装置６ｂに係る既存設定情報が格納される。
【００５９】
（本実施形態の効果）
一の通信装置６の運用中における既存の設定を、この一の通信装置６のベンダとは異なるベンダ製の他の通信装置６との間で引継ぎ可能としている。これにより、通信装置６の運用性を向上させることができる。
【００６０】
（変形例）
本発明は、上記実施形態に限定されることなく、本発明の趣旨を逸脱しない範囲で、変更実施が可能であり、例えば、次の（ａ）〜（ｃ）のようなものがある。
（ａ）  本発明において通信装置のベンダは、３種類に限定されない。
（ｂ）  既存設定保持部に格納される既存設定は、ベンダに依存しない形式に限られず、例えば最も普及率の高いベンダに固有の形式に対して、これ以外のベンダに固有のパラメータを追加可能としてもよい。これにより、パラメータをベンダ固有形式に変換するための計算量を削減可能である。
（ｃ）  図４に示したシーケンス図では、通信装置６ａの故障に伴う設定引継ぎについて説明した。しかし、これに限られず、通信装置６ａのソフトウェアのアップデートや、通信装置６ａから通信装置６ｂへのリプレースに伴って設定引継ぎが行われてもよい。
【符号の説明】
【００６１】
Ｓ  通信装置設定システム
１  コントローラ
１Ａ  コントローラ
２  ベンダ共通部
３，３ａ〜３ｃ  ベンダ個別部
４  装置設定部
５  既存設定保持部
６，６ａ〜６ｃ  通信装置
７，７ａ〜７ｃ  ベンダ個別部
７１ａ〜７１ｃ  既存設定情報
９  ネットワーク
【図１】
2018136649.tif 000003
【図２】
2018136649.tif 000004
【図３】
2018136649.tif 000005
【図４】
2018136649.tif 000006
【図５】
2018136649.tif 000007
【図６】
2018136649.tif 000008